【事件の表示】
　平成　５年特許願第３３６０６２号「搬送コンベヤにおけるスプール位置決め方法及びその装置」拒絶査定不服審判事件〔平成　７年　７月２５日出願公開、特開平　７−１８７３６０〕について、次のとおり審決する。
【結　論】
　本件審判の請求は、成り立たない。
【理　由】
１．手続の経緯及び本願発明
　本件出願は、平成５年１２月２８日の出願であって、その請求項１及び２に係る発明は、平成１４年１０月２日付けの手続補正書によって補正された明細書及び図面の記載からみて、その特許請求の範囲の請求項１及び２に記載されたとおりのものであると認められるところ、その請求項１に記載された発明（以下、「本願発明」という。）は次のとおりである。
　
　「【請求項１】　搬送コンベヤ上に投入された複数個のスプールを収容したスプール箱を斜め修正コンベヤまで搬送し、この斜め修正コンベヤ上で投入されたスプール箱を斜め修正コンベヤから浮上させた状態で、斜め修正コンベヤの相対向する位置に設置された押圧手段によりスプール箱を押圧して、スプール箱が搬送方向に対して平行になるように斜め修正を行い、この修正後、スプール箱を斜め修正コンベヤ上に降ろして幅位置決めコンベヤまで搬送し、この幅位置決めコンベヤ上において、幅位置決め手段を介してスプール箱を搬送方向に対して幅方向の位置決めを行うことを特徴とする搬送コンベヤにおけるスプール位置決め方法。」
　
２．引用文献記載の発明
（１）原査定の拒絶の理由に引用された実願昭６１−１３７１４号（実開昭６２−１２８０２０号）のマイクロフィルム（以下、「引用文献」という。）には、次の事項が図面とともに記載されている。
　
　ア．「（１）２列の荷搬送用コンベヤより搬出される荷を巾寄せし、巾寄せされた荷をトラック等の荷台に移載する荷積み装置において、搬出された荷をその搬出方向に搬送する１対の積込コンベヤと、該積込コンベヤ上の荷を巾寄せする１対の巾寄せ装置と、該巾寄せ装置により巾寄せされる荷を巾寄せ方向に移動可能に支持するフリーローラ等の巾寄せコンベヤと、上記１対の巾寄せ装置の移動に連動する中央仕切板とを備え、該中央仕切板を上記１対の巾寄せ装置の略中心線上に常時位置し得るようにしたことを特徴とする荷積み装置。
（２）中央仕切板が、少なくとも２対の等長リンクによつて、１対の巾寄せ装置に連結されている、実用新案登録請求の範囲第（１）項記載の荷積み装置。
（３）積込コンベヤが、上下方向に昇降する昇降装置上に配設されている、実用新案登録請求の範囲第（１）項又は第（２）項記載の荷積み装置。
（４）昇降装置が、一定経路上を水平方向に移動可能な台車上に配設されている、実用新案登録請求の範囲第（３）項記載の荷積み装置。
（５）荷台の水平方向位置を検出する検出器を有し且つ荷の搬出方向に対して略直角方向に水平に移動するスライド軸を、上記荷台の水平方向位置を検出し得る位置に設けると共に、該スライド軸の水平方向位置を検出する別の検出器を巾寄せ装置に設けてある、実用新案登録請求の範囲第（１）項〜第（４）項の何れかに記載の荷積み装置。」（実用新案登録請求の範囲）
　
　イ．「しかしながら、上記の従来技術は以下のような問題点を有していた。即ち、実開昭５７−４６５３２号公報又は実公昭５３−１７０９８号公報に開示されている装置は、荷を走行台車の中央に巾寄せした後、走行台車を移動させてトラック等の荷台に荷を移載するものであるから、移載に時間を要する。」（明細書４頁１８行から５頁４行）
　
　ウ．「第１図及び第２図はそれぞれ本考案の荷積み装置の一実施例の概略を示す平面図及び正面図で、これらの図面において、１、１’は左右に並設した２列の荷搬送用コンベヤ、２は積込装置、３はトラックの荷台、４、４’はパレット積製品等の荷で、本考案の荷積み装置は、２列の荷搬送用コンベヤ１、１’より搬出される荷４、４’を、積込装置２により所望位置に巾寄せしてから荷台３に移載するように構成してある。尚、荷搬送用コンベヤ１、１’、積込装置２及び荷台３は、２組図示してあるが、これらの組数に特に制限はない。又、１’’は倉庫等から荷４、４’を搬出して荷搬送用コンベヤ１、１’に分配する分配コンベヤである。又、左右１対の部材等については、原則として、左側（荷の搬送方向に対して）のものを示す場合はダッシュを付さずに符号のみで示し、右側のものを示す場合にはダッシュを付した同一符号で示す（以下、同じ）。本考案の荷積み装置における上記積込装置２は、上下方向に昇降する昇降装置５と、該昇降装置５上に配設され荷４、４’をその搬出方向に搬送する左右１対の積込コンベヤ６、６’と、該積込コンベヤ６、６’上の荷４、４’を巾寄せする左右１対の巾寄せ装置７、７’と、該巾寄せ装置７、７’により巾寄せされる荷４、４’を巾寄せ方向に移動可能に支持するフリーローラ等の巾寄せコンベヤ６１、６１’（第３図〜第５図参照）と、上記１対の巾寄せ装置７、７’の移動に連動させて上記１対の巾寄せ装置の略中心線上に常時位置し得るように設けた中央仕切板７８（第３図〜第５図参照）とを主体として構成してある。上記積込装置２の各部をその詳細を示す第３図〜第５図とともに詳述すると、先ず、上記昇降装置５は、この実施例の場合、荷搬送用コンベヤ１、１’の搬出端部の前方（第４図において右方）に固定してあり、その上部の昇降部５１を昇降シリンダー５２により昇降させるようになしてある。」（明細書７頁１３行から９頁９行）
　
　エ．「そして昇降部５１の前方、即ちトラック側には、トラックの荷台３の水平方向位置を検出し得るように、荷４、４’の搬出方向に対して略直角方向に水平に移動するスライド軸８を設けてある。上記スライド軸８は、スライドモーター５３により荷４、４’の搬出方向に対して略直角方向に水平に移動するようになしてあり、スライド軸８の両端部には後述のように上記巾寄せ装置７、７’の検出器７５、７５’、７６’により検出されるガイドブラケット８１、８１’をそれぞれ取付位置調整可能に取付けてある。そして、一方（荷の搬出方向に対して左側）のガイドブラケット８１には、トラックの上記荷台３の水平方向位置を検出する検出器８２、８２及上記荷台３の上下方向位置を検出する検出器８３、８３をそれぞ上下１対設けてある。これらの検出器８２、８２、８３、８３は、実施例の場合、何れもトラックの後部にその荷台３よりも低く取付けた反射板３１を検出する光電管で構成してある。反射板３１は、第６図及び第７図に示す如く、トラック本体の取付ステーに取付部３２を介して取付けられた非反射性の反射板取付板３３の所定箇所に貼着してある。」（明細書９頁１０行から１０頁１１行）
　
　オ．「また、積込装置２の左右１対の前記積込コンベヤ６、６’は、上記昇降装置５の昇降部５１上に固設してある．積込コンベヤ６、６’は、それぞれ、駆動モ‐夕−６３、６３’により駆動されるエンドレスチェーン６４、６４’を上部左右に１対備えており、これらのエンドレスチェーン６４、６４’間にそれぞれ保護板６５、６５’を張設した構造となしてある。・・・（略）・・・
また、積込装置２の左右１対の前記巾寄せ装置７、７’は、積込コンベヤ６、６’上の荷４、４を巾寄せし得るように前記昇降装置５の前記昇降部５１上に設けてある。即ち、巾寄せ装置７、７’は、それぞれ、積込コンベヤ６、６’上の荷４、４’をその外側から押圧するサイドプッシャー７１、７１’及びこれらそれぞれに一体的に設けた複数本のガイドシャフト７２、７２’を備えており、ガイドシャフト７２、７２’を昇降部５１に設けたガイド（軸受け）７３、７３’に摺動自在に嵌挿し、且つ昇降部５１に設けたサイドブッシャ−駆動部７４、７４’でサイドプッシャー７１、７１’を駆動することにより、積込コンベヤ６、６’上の荷４、４’をその外側から押圧するようになしてある。そして、サイドプッシャー駆動部７４、 ７４’によるサイドプッシャー７１、７１’の駆動は、前記積込コンベヤ６、６’の前記荷検出器９１、９２、９１’、９２’により積込コンべヤ６、６’上の荷４、４’の存在が検知された時、開始するようになしてある。」（明細書１２頁１行から１４頁２行）
　
　カ．「又、サイドプッシャー７１、７１’におけるトラックの荷台３側の端部には、それぞれ前記スライドシャフト８の前記ガイドブラケット８１、８１’への近接を検出する検出器７５及び７５’、７６’（検出器７５、７６’はトラックに左寄せで荷４、４’を積み込む時に使用し、左右両側寄せで荷４、４’を積み込む場合には検出器７５及び７５’を使用する）を設けてあり、サイドプッシャー駆動部７４、７４’によるサイドプッシャー７１、７１’の駆動は、この検出器７５、７５’、７６’により上記ガイドブラケット８１、８１’が検出された時にそれぞれ停止するようになしてあり、この停止時に、サイドプッシャー７１、７１’は、それぞれ巾寄せ完了位置に位置し、積込コンベヤ６、６’の荷４、４’に対して所定の巾寄せを完了している。又、サイドプッシャー７１、７１’は、巾寄せ完了後、それぞれ外側に移動して元の位置に復帰するようになしてある。」（明細書１４頁２行から１４頁２０行）
　
　キ．「また、前記積込装置２における前記巾寄せコンベヤ６１、６１’は、前記積込コンベヤ６、６’にそれぞれの前記保護板６５、６５’上に設けた多数のフリーローラ（好ましくは任意な方向を向き得るキャスタ）６２、６２、・・・・及び６２’、６２’、・・・で構成してあり、積込コンベヤ６、６’におけるエンドレスチェーン６４、６４、６４’、６４’と共に、積込コンベヤ６、６’上の荷４、４、４’、４’を支持し、上記巾寄せ装置７、７’により巾寄せされる荷４、４’を巾寄せ方向、即ち、荷の搬出方向と直交する方向に移動可能に支持するようになしてある。尚、この実施例の場合、荷４、４、４’、４’は、巾寄せ時に、エンドレスチェ−ン６４、６４、６４’、６４’上を滑ることになるが、フリーローラ６２、６２、・・・・及び６２’、６２’・・・を昇降可能となすと共に、荷の巾寄せ時にのみフリーローラ６２、６２、・・・・及び６２’、６２’、・・・をエンドレスチェーン６４、６４、６４’、６４’の上方に上昇するようになし、フリーローラ６２、６２、・・・・及び６２’、６２’、・・・単独で巾寄せされる荷４、４、４’、４’を支持するようにすることもできる。」（明細書１５頁１行から１６頁３行）
　
　ク．「また、前記積込装置の前記中央仕切板７８は、巾寄せ装置７、７’の移動に連動するように２対の等長リンク７９、７９’及び７９、７９’により１対の巾寄せ装置７、７’のガイドシャフト７２、７２及び７２’、７２’の先端部に連結してあり、１対の巾寄せ装置７、７’の略中心線上に常時位置し得るようになしてある。」（明細書１６頁４行から１６頁１０行）
　
　ケ．「上記の積込準備が完了後、積込装置２開始ボタン（図示せず）を押すと、積込装置２に付属させたスライド軸８がスライドモーター５３により左端原点から右側に移動し、スライド軸８に取付けられた、荷台３の水平方向位置を検出する検出器８２、８２のいずれか一方がトラックの反射板３１を検出した時点でスライドモーター５３が停止してスライド軸８も停止する。次いで、積込コンベヤ６、６’の駆動モーター６３、６３’が駆動され．荷搬送用コンベヤ１、１’からそれぞれ２個づつ、合計４個の荷４、４、４’、４’積込コンベヤ６、６’上に搬入される。搬入された左右の荷４、４’は、荷搬送用コンベヤ１、１’におけるそれと同じ巾Ｗ１である。この搬入は、積込コンベヤ６、６’における荷検出器９１、９２、９１’、９２’によって検出される。積込コンベヤ６、６’上に４個の荷４、４、４’、４’が搬入されると、巾寄せ装置７、７’のサイドプッシャー駆動部７４、７４’が駆動され、それによってサイドプッシャー７１、７１’が、搬入された荷４、４、４’、４’を両側から巾寄せするため、搬入された荷４、４、４’、４’はサイドプッシャー ７１、７１’の略中央部に常時位置するように前述の如く連動している中央仕切板７８によっても押されつつ巾寄せされる。この場合、サイドプッシャー７１、７１’による巾寄せは、上述の如く所定位置に停止しているスライド軸８に取付けられたガイドブラケット８１、８１’をサイドプッシャー７１、７１’に取付けられた検出器７５、７６’ が検出した時に、サイドプッシャー駆動部７４、７４’が停止することにより完了する。この時、スライド軸８に取付けられたガイドブラケット８１、８１’の間隔は、前述の如く、トラックの荷台３に左寄せして積み込もうとする巾Ｗ３に等しくしてあり、又、左側のガイドブラケット８１が、トラックの左内壁面と荷の左側面とを一致し得る位置となるようにスライド軸８が移動停止しているから、左右の荷４、４’は、その巾がトラックの荷台３に左寄せして積み込もうとする巾Ｗ３に等しくなるように巾寄せされており、且つ左側の荷４の左側面は、トラックの左内壁面に略一致している。即ち、巾寄せされた荷４、４、４’、４’は、トラックの荷台３方向に押せば、そのままトラックの荷台３に左に寄せして積み込まれる位置にある。」（明細書１８頁１２行から２０頁１７行）
　
　コ．「第１３図に示す如く荷４の向きにずれを生じたり若しくは図示してはないが左右の荷４、４’ の巾が荷搬送用コンベヤ１、１’の中心線に対してずれて荷揃えされた場合であっても、本考案の荷積み装置によれば、中央仕切板７８が前述の如く設けてあり、荷をこの中央仕切板７８で押さえなが巾寄せできるため、荷の位置を適正な位置に修正しつつ上述の場合と同様に巾寄せして荷積みすることができる。」（明細書２３頁１行から９行）
　
　サ．「従来の装置のようには装置本体の中央に巾寄せしてから装置本体を移動させる必要がなく、」（明細書２４頁１８行から２０行）
　
（２）ここで、上記記載事項ア．、ウ．ないしコ．、及び第１ないし第１３図から、次のことがわかる。
　
　ア．上記記載事項ア．、ウ．、キ．、ク．、コ、第３ないし５図、第１３図から、次のことがわかる。１’’は倉庫等から荷４、４’を搬出して荷搬送用コンベヤ１、１’に分配する分配コンベヤである。２列の荷搬送用コンベヤ１、１’より搬出される荷４、４’を巾寄せし、巾寄せされた荷４、４’をトラツク等の荷台３に移載する荷積み装置において、搬出された荷４、４’をその搬出方向に搬送する１対の積込コンベヤ６、６’と、該積込コンベヤ６、６’上の荷４、４’を巾寄せする１対の巾寄せ装置７、７’と、該巾寄せ装置７、７’により巾寄せされる荷４、４’を巾寄せ方向に移動可能に支持するフリーローラ６２、６２’等の巾寄せコンベヤ６１、６１’と、上記１対の巾寄せ装置７、７’の移動に連動する中央仕切板７８とを備え、該中央仕切板７８を上記１対の巾寄せ装置７、７’の略中心線上に常時位置し得るようにしている。積込装置２は、昇降装置５と、積込コンベヤ６、６’と、巾寄せ装置７、７’と、巾寄せコンベヤ６１、６１’と、中央仕切板７８とを主体として構成してある。
　そして、巾寄せ方向は、荷の搬出方向と直交する方向であるから、巾寄せ装置７、７’の略中心線は、荷積み装置の積込コンベヤ６、６’による荷４、４’の搬出方向と平行であるといえる。
　上記記載事項オ．、キ．、第３ないし５図から、次のことがわかる。巾寄せ装置７、７’は、それぞれ、積込コンベヤ６、６’上の荷４、４’をその外側から押圧するサイドプッシャー７１、７１’及びこれらそれぞれに一体的に設けた複数本のガイドシャフト７２、７２’を備えており、サイドブッシャ−駆動部７４、７４’でサイドプッシャー７１、７１’を駆動することにより、積込コンベヤ６、６’上の荷４、４’をその外側から押圧する。巾寄せコンベヤ６１、６１’は、前記積込コンベヤ６、６’に設けた任意な方向を向き得るキャスタからなる多数のフリーローラ６２、６２’で構成してもよく、積込コンベヤ６、６’におけるエンドレスチェーン６４、６４’と共に、積込コンベヤ６、６’上の荷４、４’を支持する。また、フリーローラ６２、６２’を昇降可能となすと共に、荷の巾寄せ時にのみフリーローラ６２、６２’をエンドレスチューン６４、６４’の上方に上昇するようになし、フリーローラ６２及び６２’単独で、巾寄せされる荷４、４’を支持するようにすることもできる。
　このことから、巾寄せ終了後、フリーローラ６２、６２’が下降すれば、荷４、４’はエンドレスチューン６４、６４’上に降ろされるといえる。
　
　これらのことと上記記載事項ケ．から、荷搬送用コンベア１、１’上に投入された荷４、４’を積込コンベヤ６、６’まで搬送し、この積込コンベヤ６、６’上で投入された荷４、４’を、フリーローラー６２、６２’により、積込コンベヤ６、６’のエンドレスチューン６４、６４’から浮上させた状態で、積込コンベヤ６、６’の相対向する位置に設置された巾寄せ装置７、７’により荷４、４’を押圧して、荷４、４’が搬送方向に対して平行になるように斜め修正を行い、この修正後、荷４、４’を積込コンベヤ６、６’上に降ろしていることがわかる。
　
　イ．上記記載事項ア．、エ．、ケ．、第３ないし５図から、次のことがわかる。荷搬送用コンベヤ１、１’より搬出される荷４、４’を巾寄せし、巾寄せされた荷４、４’をトラツク等の荷台３に移載する荷積み装置において、荷台３に反射板３１を取り付け、積込装置２には、荷台３の水平方向位置を反射板３１で検出する検出器８２、８２を有し且つ荷の搬出方向に対して略直角方向に水平に移動するスライド軸８を、上記荷台３の水平方向位置を検出し得る位置に設けると共に、巾寄せ装置のサイドプッシャー７１、７１’には、該スライド軸８両端部のガイドブラケット８１、８１’を検出する別の検出器７５、７５’、７６’を設けてある。
　これら反射板３１、検出器８２、８２、スライド軸８、ガイドブラケット８１、８１’、別の検出器７５、７５’、７６’等が搬出方向に対して略直角方向の位置決め手段を構成するものといえる。
　上記記載事項カ．、ケ．、第３ないし５図から、次のことがわかる。積込装置２開始ボタンを押すと、、積込装置２に付属させたスライド軸８が左端原点から右側に移動し、スライド軸８に取付けられた、荷台３の水平方向位置を検出する検出器８２、８２のいずれか一方がトラックの反射板３１を検出した時点でスライドモーター５３が停止してスライド軸８も停止する。サイドプッシャー７１、７１’が、搬入された荷４、４’を両側から巾寄せするため、搬入された荷４、４’はサイドプッシャー ７１、７１’の略中央部に常時位置するように連動している中央仕切板７８によっても押されつつ巾寄せされる。この場合、サイドプッシャー７１、７１’による巾寄せは、上述の如く所定位置に停止しているスライド軸８に取付けられたガイドブラケット８１、８１’をサイドプッシャー７１、７１’に取付けられた検出器７５、７６’ が検出した時に、サイドプッシャー駆動部７４、７４’がそれぞれ停止することにより完了する。この停止時に、サイドプッシャー７１、７１’は、それぞれ巾寄せ完了位置に位置し、積込コンベヤ６、６’の荷４、４’に対して所定の巾寄せを完了している。
　
　これらのことから、積込コンベヤ６、６’上で、巾寄せ装置７、７’により荷４、４’を押圧して、荷４、４’が搬送方向に対して平行になるように斜め修正を行い、同時に、搬出方向に対して略直角方向の位置決め手段を介して荷４、４’を搬出方向に対して略直角方向の位置決めを行うことがわかる。
　
（３）引用文献記載の発明
　上記記載事項（２）より、引用文献には次の発明が記載されていると認められる。
　「荷搬送用コンベア１、１’上に投入された荷４、４’を積込コンベヤ６、６’まで搬送し、この積込コンベヤ６、６’上で投入された荷４、４’を積込コンベヤ６、６’から浮上させた状態で、積込コンベヤ６、６’の相対向する位置に設置された巾寄せ装置７、７’により荷４、４’を押圧して、荷４、４’が搬送方向に対して平行になるように斜め修正を行い、同時に、搬出方向に対して略直角方向の位置決め手段を介して荷４、４’を搬出方向に対して略直角方向の位置決めを行う位置決め方法」（以下、「引用文献記載の発明１」という。）
　
　また、上記記載事項（１）イ．、サ．より、引用文献には次の発明が記載されていると認められる。
　「荷を走行台車の中央に巾寄せした後、走行台車を移動させてトラック等の荷台に荷を移載する。」（以下、「引用文献記載の発明２」という。）
　
３．対比・判断
　そこで、本願発明と引用文献記載の発明１を対比するに、被搬送物の対象を限定しない限りにおいて、引用文献記載の発明１における「荷搬送用コンベア１、１’」、「積込コンベヤ６、６’」、「巾寄せ装置７、７’」、「搬出方向に対して略直角方向の位置決め手段」、「搬出方向に対して略直角方向」は、本願発明における「搬送コンベヤ」、「斜め修正コンベヤ」、「押圧手段」、「幅位置決め手段」、「搬出方向に対して幅方向」にそれぞれ相当する。
　
　したがって、本願発明と、引用文献記載の発明１は、
「搬送コンベヤ上に投入された被搬送物を斜め修正コンベヤまで搬送し、この斜め修正コンベヤ上で投入された被搬送物を斜め修正コンベヤから浮上させた状態で、斜め修正コンベヤの相対向する位置に設置された押圧手段により被搬送物を押圧して、被搬送物が搬送方向に対して平行になるように斜め修正を行い、幅位置決め手段を介して被搬送物を搬送方向に対して幅方向の位置決めを行うことを特徴とする搬送コンベヤにおける被搬送物位置決め方法」である点で一致し、次の相違点で相違している。
　
（１）相違点１
　被搬送物が、本願発明においては、「複数個のスプールを収容したスプール箱」であるのに対し、引用文献記載の発明１では、「荷４、４’」である点。
（２）相違点２
　本願発明では、「斜め修正を行い、この修正後、スプール箱を斜め修正コンベヤ上に降ろして幅位置決めコンベヤまで搬送し、この幅位置決めコンベヤ上において、幅位置決め手段を介してスプール箱を搬送方向に対して幅方向の位置決めを行う」のに対して、引用文献記載の発明１では、「斜め修正を行い、同時に、搬出方向に対して略直角方向の位置決め手段を介して荷４、４’を搬出方向に対して略直角方向の位置決めを行う」ようにした点。
　
４．判断
　上記相違点について検討する。
（１）相違点１
　搬送技術は、そもそも搬送対象とは関連せずに幅広く用いられる汎用性の高い技術分野であり、スプールの搬送については通常知られたことにすぎないから（例、特開昭６３−２７３２８号公報２頁左上欄、３頁左上欄）、引用文献記載の発明１を複数個のスプールを収容したスプール箱の搬送に適用することは当業者が容易になし得たことにすぎない。
　なお、スプールとは糸や布を巻き付けたものに対しても用いられる用語であり（例、特開昭４８−５８５６８号公報）、複数個のスプールとは少なくとも２個以上を指しているにすぎないから、本発明が重量物の搬送に限定して用いられるものと認めることはできない。
　
（２）相違点２
　引用文献記載の発明２の「巾寄せ」は、本願発明の「斜め修正」に相当し、引用文献記載の発明２では「走行台車を移動させてトラック等の荷台に荷を移載する」ことから走行台車はトラック等の荷台に対して搬出のための位置決めを行っていることがわかる。
　したがって、引用文献記載の発明２には、被搬送物を斜め修正を行い、この修正後、搬出のための位置決めを行なうという技術思想が示されている。
　また、搬送方向線を変更して搬出するために搬送手段を別途設けることは当業者が通常行なう設計的事項であり、また、周知技術でもある。（例、特開昭６３−１４７７０４号公報の走行機体６等、特開昭４８−８７１３９号公報のトラバーサー９、上記引用文献の明細書２５頁１０行から２６頁５行の記載）
　これらの点を勘案すれば、斜め修正後に、搬出のための位置決めを行なうともに、搬出のための搬送手段を別途設置し、さらに、斜め修正後、搬出するためには当然斜め修正コンベア上に降ろして、上記相違点２に係る本願発明のように「修正後、スプール箱を斜め修正コンベヤ上に降ろして幅位置決めコンベヤまで搬送し、この幅位置決めコンベヤ上において、幅位置決め手段を介してスプール箱を搬送方向に対して幅方向の位置決めを行う」構成とすることは、当業者が容易に想到しうる程度のものと認められる。
　
　以上のように、本願発明は、引用文献記載の発明１、上記技術思想、及び上記周知技術に基づいて、当業者が容易に想到することができたものと認められ、しかも、本願発明は、全体構成でみても、引用文献記載の発明１、上記技術思想、及び上記周知技術から予測できる作用効果以上の顕著な作用効果を奏するものとも認められない。
　
５．むすび
　したがって、本願発明は、引用文献記載の発明１、上記技術思想、及び上記周知技術に基づいて当業者が容易に発明をすることができたものであるから、特許法第２９条第２項の規定により特許を受けることができない。
  よって、結論のとおり審決する。